(57)【要約】【課題】本発明は軒樋接続構造に関し、軒樋の後部耳部の係合凹部に対する内押さえ片の係合が構造的に堅牢になり、軒樋相互の端部間の接続が強固になり、また、後部耳片に対する内押さえ片の強度が高く、高温下の放熱性に優れ、接続個所での変形や歪みを防止し、簡単な構造であり、製作が容易に行える。【解決手段】一対の軒樋１，１の長手方向Ｉの端部同士を対向し、軒樋の端部の外面側に外継手２を被嵌すると共に端部間の内面に沿って内押さえ３を嵌合して外継手と内押さえとで軒樋を挟持して軒樋を接続し、軒樋の後壁の上端の後部耳部４を内方に突出して下面には係合凹部５を設け、軒樋の内面に沿わせた内押さえの後部に設ける後押さえ片１０の内面には前記係合凹部に係合可能になる１個もしくは複数個の係合リブ１１を縦長に形成した。【選択図】      図１
2004176444.tif 000002
【特許請求の範囲】
【請求項１】
一対の軒樋の長手方向の端部同士を対向させ、軒樋の端部の外面側に外継手を被嵌すると共に軒樋の端部間の内面に沿って内押さえを嵌合して外継手と内押さえとで軒樋を挟持して軒樋を接続し、軒樋の後壁の上端の後部耳部を内方に突出し、該後部耳部の下面には後部側上方に凹没する係合凹部を設け、軒樋の内面に沿わせた内押さえの後部に設ける後押さえ片の内面には前記係合凹部に係合可能になる１個もしくは複数個の係合リブを縦長に形成したことを特徴とする軒樋接続構造。
【請求項２】
軒樋の前壁外側に長手方向に設けた排水溝の後面に、軒樋の内側下方に前方下側が適合する外形状をなす内押さえの前壁に設けた支点突部が当接され、前記内押さえの前押さえ片の上部には操作片が形成されるとともに該操作片の基部上面には前記軒樋の上部前壁部の内側に設けた前部耳部が係脱可能になる係合段部が形成されたことを特徴とする請求項１に記載の軒樋接続構造。
【請求項３】
前記リブに対し後押さえ片の長手方向にわたり横リブを設けたことを特徴とする請求項１または２に記載の軒樋接続構造。
【発明の詳細な説明】
【０００１】
【発明の属する技術分野】
本発明は軒樋接続構造に関し、外継手と内押さえとを用いて軒樋の端部間を挟持し、軒樋を相互に迅速かつ確実に接続し、構造堅牢にするものである。
【０００２】
【従来の技術】
近年、軒樋を相互に接続するには、接続すべき軒樋の長手方向の端部同士を対向させ、軒樋の端部の外面側に外継手を被嵌すると共に端部間の内面に沿って内押さえを嵌合することにより外継手と内押さえとで軒樋を挟持して軒樋を接続する軒樋接続構造がある。
この軒樋接続構造として、例えば、一対の軒樋の長手方向の端部同士を対向させ、軒樋の端部の外面側に外継手を被嵌すると共に端部間の内面に沿って内押さえを嵌合して外継手と内押さえとで軒樋を挟持して軒樋を接続し、軒樋の後壁の上端に後部耳部を内方に突出し、該後部耳部の下面には後押さえ片の上端が係脱可能に係合し、後部側上方に凹没する係合凹部を設けたものがある（例えば特許文献１参照。）。
【０００３】
【特許文献１】
特許第３２３４４７４号公報（第１−４頁、図１−図１０）
【０００４】
【発明が解決しようとする課題】
しかしながら、特許文献１に記載の上記発明は、軒樋の後壁の上端に内方に突出した後部耳部の下面に内押さえ片の上端が係脱可能に係合し、後部側上方に凹没する係合凹部を設けたので、夏期に日照等により高温になったり、冬期に寒気に晒されると軒樋、外継手、内押さえはそれぞれ伸縮するので、軒樋の後部耳部に設けた係合凹部に係合している内押さえに設ける内押さえ片の上端の係合が変形されたり、歪みを生ずることにより係合が外れるという欠点がある。このため、一対の軒樋相互の端部間の接続が不確実になり、降雨時に軒樋相互の端部相互の接続がはずれ、雨水を所望個所へ排水できずに雨漏れを生ずることになる。また、降雪時には屋根に降った雪の重量により軒樋相互の端部相互の接続がはずれ、融雪等により落雪とともに雨樋が落下する等、危険であるとともに後部耳片に対する係合部品としての内押さえ片の強度も低かった。
【０００５】
本発明は上記従来の不都合を解決し、軒樋の後部耳部に設けた係合凹部に対する内押さえの後壁片の係合が構造的に堅牢になり、一対の軒樋相互の端部間の接続が強固になり、降雨時における軒樋の排水が確実になり、また、後部耳片に対する係合部品としての後壁片の強度も高く、しかも夏期等の高温下での放熱性に優れ、接続個所での変形や歪みを防止し、簡単な構造に製作も容易に行える軒樋接続構造を提供しようとする。
【０００６】
【課題を解決するための手段】
本発明の請求項１に記載の発明は、一対の軒樋の長手方向の端部同士を対向させ、軒樋の端部の外面側に外継手を被嵌すると共に軒樋の端部間の内面に沿って内押さえを嵌合して外継手と内押さえとで軒樋を挟持して軒樋を接続し、軒樋の後壁の上端の後部耳部を内方に突出し、該後部耳部の下面には後部側上方に凹没する係合凹部を設け、軒樋の内面に沿わせた内押さえの後部に設ける後押さえ片の内面には前記係合凹部に係合可能になる１個もしくは複数個の係合リブを縦長に形成したことを特徴とするという手段を採用した。
【０００７】
また、本発明の請求項２に記載の発明は、請求項１において、軒樋の前壁外側に長手方向に設けた排水溝の後面に、軒樋の内側下方に前方下側が適合する外形状をなす内押さえの前壁に設けた支点突部が当接され、前記内押さえの前押さえ片の上部には操作片が形成されるとともに該操作片の基部上面には前記軒樋の上部前壁部の内側に設けた前部耳部が係脱可能になる係合段部が形成されたことを特徴とするという手段を採用した。
【０００８】
また、本考案の請求項３に記載の発明は、請求項１または２において、前記リブに対し後押さえ片の長手方向にわたり横リブを設けたことを特徴とするという手段を採用した。
【０００９】
【発明の実施の形態】
以下、本発明の実施の形態の具体例を図面に従って説明する。
図１は本発明の軒樋接続構造の一実施形態を示す断面図、図２は同じく内押さえを示す斜視図、図３は同じく軒樋相互を接続する状態の斜視図、図４は同じく分解斜視図、図５は他の変形例を示す断面図、図６は同じく内押さえを示す斜視図である。
【００１０】
１は軒樋であり、この軒樋１，１の接続は、一対の軒樋１，１の長手方向Ｉの端部同士を対向させ、該軒樋１，１の端部の外面側に外継手２を被嵌すると共に端部間の内面に沿って内押さえ３を嵌合して外継手２と内押さえ３とで軒樋１，１を挟持することにより軒樋１，１を接続する。また、軒樋１，１の後壁の上端の後部耳部４を内方に突出し、該後部耳部４の下面には後部側上方に凹没する係合凹部５を設けている。
【００１１】
そして、軒樋１，１を相互に接続するには、先ず、外継手２の後方上端に設けた後部耳押さえ片６側を軒樋１，１の後部耳部４に被嵌し、この状態から外継手２の前部前壁部７を上方（時計方向）に回動し、軒樋１，１の内面に沿って嵌合する内押さえ３の前押さえ片８に嵌合するように外継手２を嵌合することにより一対の軒樋１，１の端部間の外面に沿わせて外継手２を被嵌する点は特許文献１に記載のような従来の軒樋接続構造と同様な構成である。
【００１２】
しかしながら、本実施形態の軒樋接続構造では、軒樋１，１の内面に沿わせた内押さえ３の後部に設ける後押さえ片１０の内面には前記係合耳片４の係合凹部５に係合可能になる１個もしくは複数個の係合リブ１１を縦長に形成している。そして、軒樋１，１の内面に沿わせて嵌合される内押さえ３の後押さえ片１０に設けた係合リブ１１を軒樋１，１の後壁の上端に内方に突出した後部耳部４の下面の係合凹部５内に係合することにより軒樋１，１の後部耳部４に設けた係合凹部５に対する内押さえ３における後壁片１２の係合を構造的に堅牢にし、一対の軒樋１，１相互の端部間の接続が強固になるため、降雨時における軒樋１，１の排水が確実になる。また、係合リブ１１を後押さえ片１０に設けることにより後部耳片４に対する係合部品としての後壁片１２の強度は高くなる。しかも、後壁片１２の内側に係合リブ１１を設けることにより特許文献１に記載の従来の軒樋接続構造に較べて後壁片１２の接触面積が増大するため、例えば夏期等の高温下での係合リブ１１からの放熱性が優れたものになる。さらには、本実施形態の内押さえ３では、後押さえ片１０の内面に係合リブ１１を設けることにより軒樋１，１の接続個所が夏期での高温下、または、冬期での厳寒下での変形や歪みが防止され、強度を発揮する。
【００１３】
また、１３は軒樋１，１の前壁外側に長手方向Ｉに設けた排水溝１４の後面に当接可能になるように軒樋１，１の内側下方に前方下側が適合する外形状をなす内押さえ３の前壁に設けた支点突部であり、この支点突部１３は操作片１５を押圧操作し、その可撓復元性により軒樋１，１の前部耳部９に対する係合段部１６が係合し、係脱操作を容易にするためのものである。
【００１４】
前記操作片１５は、内押さえ３の前押さえ片８の上部に形成されるとともに該操作片１５の基部上面には前記軒樋１，１の上部前壁部１８の内側に設けた前部耳部９が係脱可能になる前記係合段部１６が形成される。
【００１５】
本発明の第１実施形態は以上の構成からなり、軒樋１，１を相互に接続するには、先ず、外継手２の後方上端に設けた後部耳押さえ片６側を軒樋１，１の後部耳部４に被嵌する。そして、この状態から外継手２の前部前壁部７を図１において上方（時計方向）に回動する。その後、軒樋１，１の前部耳部９に外継手２の前部耳押さえ片１９を係合するように外継手２を嵌合することにより一対の軒樋１，１の端部間の外面に沿わせて外継手２を被嵌する。
【００１６】
そして、外継手２の下部前壁２ａ、後壁２ｂ、底壁２ｃが、軒樋１，１の前壁１ａ、後壁１ｂ、底壁１ｃの外面に沿い、排水溝１４に凹溝部が嵌合し、外継手２の前部耳押さえ片１９が軒樋１，１の前部耳部９に係止する。
このようにして、外継手２で一対の軒樋１，１を接続する時、必要に応じて接着剤が塗布されることにより強固に接着を行うことができる。
【００１７】
次いで、軒樋１，１の外面に外継手２を被嵌した状態で一対の軒樋１，１の内側面に内押さえ３を装着する時には、内押さえ３の後押さえ片１０の上端を後部耳片４の下面に設けた係合凹部５に係合した状態で操作片１５を持って内押さえ３の前押さえ片８を前側下方に回動することで装着される。
【００１８】
このように内押さえ３は、後押さえ片１０の上端が後部耳片４の下面に設けた係合凹部５に係合されると共に後押さえ片１０が軒樋１，１の後壁１ｂの内面に沿わせられ、底部が軒樋１，１の底壁１ｃに沿わせられ、前押さえ片８の上端に配設された係合段部１６に前部耳部９が係止される。
【００１９】
この際、内押さえ３の後部に設ける後押さえ片１０の内面には軒樋１，１に設けた後部耳片４の下面に設けた係合凹部５に係合される図１、図２に示すように１個または図５、図６に示すように複数個、例えば３個の係合リブ１１を縦長に形成しているので、この係合リブ１１が軒樋１，１の後部耳片４の下面の係合凹部５内に係合することにより係合凹部５に対して内押さえ３の後押さえ片１０の係合を安定にかつ構造的に堅牢に取付けることができる。
【００２０】
しかも、後押さえ片１０の上端が、軒樋１，１の後部耳部４の下面に設けた係合凹部５に隙間を生ずることなく密に係合し、後部耳片４に対する係合部品としての後押さえ片１０の取付強度も高くなるので、軒樋１，１と内押さえ３の後押さえ片１０との間に間隙を生ぜずにがたつきや緩みがなく一対の軒樋１，１相互を強固に接続することができる。従って、軒樋１，１相互の端部の接続が外れることなく確実になるので、降雨時における軒樋１，１の排水が確実になり、雨漏れを生ずることはない。また、降雪時に屋根に降った雪の重量により軒樋１，１相互の接続が外れることなく、融雪等により落雪とともに雨樋が落下する等の危険はなくなる。
【００２１】
しかも、内押さえ３の後押さえ片１０には、図１、図２に示すように１個または複数個、図５、図６では例えば３個の係合リブ１１を縦長に形成されているので、この係合リブ１１を設けることにより後押さえ片１０の接触面積が増大するため、夏期等の高温下での放熱性に優れ、しかも、冬期等の厳寒下での熱に起因する伸縮による変形や歪みを防止することができる。
【００２２】
図７および図８に示すものは本発明の軒樋接続構造の第２実施形態を示す。
この実施形態では、前記実施形態とは異なり、図８に示すように内押さえ３の後押さえ片１０の内側に設ける縦長の係合リブ１１の上端に長手方向Ｉにわたり横リブとして内側に変位した所望幅Ｈの折曲縁部３０を設ける構成を採用したことにより内押さえ３の後押さえ片１０を長手方向Ｉに対しても強い強度にて形成する。また、軒樋１，１の後部耳片４に、縦横および厚み方向Ｔに内押え片３を構造堅牢に取付ることができるとともに夏期等の高温下での放熱性を効率的に行うことにより熱に起因する変形や歪みを確実に防止するようにした点が上記第１実施形態とは異なる作用を奏する。
【００２３】
【発明の効果】
本発明の請求項１に記載の発明は以上のように、一対の軒樋の長手方向の端部同士を対向させ、軒樋の端部の外面側に外継手を被嵌すると共に軒樋の端部間の内面に沿って内押さえを嵌合して外継手と内押さえとで軒樋を挟持して軒樋を接続し、軒樋の後壁の上端の後部耳部を内方に突出し、該後部耳部の下面には後部側上方に凹没する係合凹部を設け、軒樋の内面に沿わせた内押さえの後部に設ける後押さえ片の内面には前記係合凹部に係合可能になる１個もしくは複数個の係合リブを縦長に形成したことを特徴とするので、軒樋の後部耳部に設けた係合凹部に対する内押さえの内押さえ片の係合が構造的に堅牢になり、一対の軒樋相互の端部間の接続が強固になり、降雨時における軒樋の排水が確実になり、また、後部耳片に対する係合部品としての内押さえ片の強度も高くなり、しかも夏期等の高温下での放熱性に優れ、接続個所での変形や歪みを防止し、簡単な構造に製作も容易に行える。
【００２４】
また、本発明の請求項２に記載の発明は、請求項１において、軒樋の前壁外側に長手方向に設けた排水溝の後面に、軒樋の内側下方に前方下側が適合する外形状をなす内押さえの前壁に設けた支点突部が当接され、前記内押さえの前押さえ片の上部には操作片が形成されるとともに該操作片の基部上面には前記軒樋の上部前壁部の内側に設けた前部耳部が係脱可能になる係合段部が形成されたことを特徴とするので、この支点突部が内押さえの前壁に当接することにより操作片を押圧操作する時に梃子作用を発揮するため、軒樋の前部耳部に対する係合段部の係脱操作が容易かつ確実に行える。
【００２５】
また、本考案の請求項３に記載の発明は、請求項１または２において、前記リブに対し後押さえ片の長手方向にわたり横リブを設けたことを特徴とするので、内押さえの後押さえ片を長手方向に対しても強い強度にて形成し、また、軒樋の後部耳片に縦横および厚み方向に構造堅牢に取付ることができるとともに夏期等の高温下での放熱性を効率的に行うことにより熱に起因する変形や歪みを確実に防止する。
【図面の簡単な説明】
【図１】図１は本発明の軒樋接続構造の一実施形態を示す断面図である。
【図２】図２は同じく内押さえを示す斜視図である。
【図３】図３は同じく軒樋相互を接続する状態の斜視図である。
【図４】図４は同じく軒樋相互を接続する状態の分解斜視図である。
【図５】図５は他の変形例を示す断面図である。
【図６】図６は同じく内押さえを示す斜視図である。
【図７】図７は同じく本発明の軒樋接続構造の第２実施形態を示す断面図である。
【図８】同じく内押さえを示す斜視図である。
【符号の説明】
１    軒樋
２    外継手
３    内押さえ
４    後部耳部
５    係合凹部
６    後部耳押さえ片
７    前部前壁部
８    前押さえ片
９    前部耳部
１０  後押さえ片
１１  係合リブ
１２  後壁
Ｉ    軸長方向
Ｔ    厚み方向
【図１】
2004176444.tif 000003
【図２】
2004176444.tif 000004
【図３】
2004176444.tif 000005
【図４】
2004176444.tif 000006
【図５】
2004176444.tif 000007
【図６】
2004176444.tif 000008
【図７】
2004176444.tif 000009
【図８】
2004176444.tif 000010